(57)【要約】【課題】本発明は、接続された表示装置の画面サイズに拘わらず、指定した表示サイズの高品位なサムネイル画像を表示装置に一覧表示させることができる画像表示装置および画像表示方法を提供することを課題とする。【解決手段】入力部１６からの入力によって表示装置２にサムネイル画像を表示した際の実サイズをサムネイル画像の表示サイズとして設定しておき、画面情報取得部１４は、ＨＤＭＩのＥＤＩＤを用いて表示装置２から解像度を取得し、画像サイズ算出部１７は、取得した解像度、撮像画像のピクセル数および設定されたサムネイル画像の表示サイズに基づいて、設定されたサムネイル画像の表示サイズで表示装置２に表示されるサムネイル画像の画像サイズを算出し、画像生成出力部１８は、算出したサムネイル画像の画像サイズに基づいて、撮像画像を縮小したサムネイル画像を生成して表示装置２に出力する。【選択図】        図１
2009105645.tif 000002
【特許請求の範囲】
【請求項１】
記憶している撮像画像に対応するサムネイル画像を複数配列した一覧画面を生成し、接続された表示装置に生成した前記一覧画面を表示させる画像表示装置であって、
前記表示装置に前記サムネイル画像を表示した際の実サイズを前記サムネイル画像の表示サイズとして設定する表示サイズ設定手段と、
前記表示装置から解像度を取得する画面サイズ取得手段と、
該画面サイズ取得手段によって取得された前記解像度、前記撮像画像のピクセル数および前記表示サイズ設定手段によって設定された前記サムネイル画像の表示サイズに基づいて、前記表示サイズ設定手段によって設定された前記サムネイル画像の表示サイズで前記表示装置に表示される前記サムネイル画像の画像サイズを算出する画像サイズ算出手段と、
該画像サイズ算出手段によって算出された前記サムネイル画像の画像サイズに基づいて、前記撮像画像を縮小した前記サムネイル画像を生成して前記表示装置に出力する画像生成出力手段とを具備することを特徴とする画像表示装置。
【請求項２】
前記画面サイズ取得手段は、前記表示装置から画面サイズを取得し、
前記画像サイズ算出手段は、画面サイズ取得手段によって取得された前記表示装置の画面サイズおよび前記表示サイズ設定手段によって設定された前記サムネイル画像の表示サイズに基づいて、前記サムネイル画像の配列パターンを算出し、
画像生成出力手段は、前記画像サイズ算出手段によって算出された前記配列パターンに基づいて、生成した前記サムネイル画像を配列した一覧画面を生成して前記表示装置に出力することを特徴とする請求項１記載の画像表示装置。
【請求項３】
記憶している撮像画像に対応するサムネイル画像を複数配列した一覧画面を生成し、接続された表示装置に生成した前記一覧画面を表示させる画像表示装置における画像表示方法であって、
前記表示装置に前記サムネイル画像を表示した際の実サイズを前記サムネイル画像の表示サイズとして設定しておき、
前記表示装置から解像度を取得し、
該取得した前記解像度、前記撮像画像のピクセル数および設定された前記サムネイル画像の表示サイズに基づいて、設定された前記サムネイル画像の表示サイズで前記表示装置に表示される前記サムネイル画像の画像サイズを算出し、
該算出した前記サムネイル画像の画像サイズに基づいて、前記撮像画像を縮小した前記サムネイル画像を生成して前記表示装置に出力することを特徴とする画像表示方法。
【発明の詳細な説明】
【技術分野】
【０００１】
本発明は、記憶している撮像画像をテレビやディスプレイ等の表示装置に表示させるデジタルカメラ等の画像表示装置および画像表示方法に関し、特に記憶している撮像画像を表示装置に一覧表示させる画像表示装置および画像表示方法に関する。
【背景技術】
【０００２】
従来、デジタルカメラには、撮像して記憶している撮像画像の確認や鑑賞を目的とし、接続したテレビ等の表示装置に、記憶している撮像画像の一覧を表示させることができるようになっている（例えば、特許文献１、２、３参照）。
【０００３】
撮像画像の一覧表示には、一般的に原画像に付属している１８０＊１２０サイズのサムネイル画像が用いられ、ユーザが指定した数のサムネイル画像を１画面中に一覧表示するようになっている。
【０００４】
図４は、従来の画像表示装置によって生成された一覧画面例を示す図である。
しかしながら、従来技術では、１画面中に一覧表示されるサムネイル画像の数が指定されているため、図４（ａ）〜（ｃ）に示すように、接続された表示装置の画面サイズによって、サムネイル画像の表示サイズが異なってしまい、小型の表示装置の場合には、サムネイル画像が小さく表示されるため、見づらくなってしまうと共に、大型の表示装置の場合には、サムネイル画像が大きく表示されるため、１８０＊１２０サイズのサムネイル画像では、表示が荒くなり品位が悪くなってしまうという問題点があった。
【特許文献１】特開平１０−６５９０１号公報
【特許文献２】特開２０００−４０１４２号公報
【特許文献３】特開２０００−３３２９８５号公報
【発明の開示】
【発明が解決しようとする課題】
【０００５】
本発明は斯かる問題点に鑑みてなされたものであり、その目的とするところは、接続された表示装置の画面サイズに拘わらず、指定した表示サイズの高品位なサムネイル画像を表示装置に一覧表示させることができる画像表示装置および画像表示方法を提供する点にある。
【課題を解決するための手段】
【０００６】
本発明は上記課題を解決すべく、以下に掲げる構成とした。
本発明の画像表示装置は、記憶している撮像画像に対応するサムネイル画像を複数配列した一覧画面を生成し、接続された表示装置に生成した前記一覧画面を表示させる画像表示装置であって、前記表示装置に前記サムネイル画像を表示した際の実サイズを前記サムネイル画像の表示サイズとして設定する表示サイズ設定手段と、前記表示装置から解像度を取得する画面サイズ取得手段と、該画面サイズ取得手段によって取得された前記解像度、前記撮像画像のピクセル数および前記表示サイズ設定手段によって設定された前記サムネイル画像の表示サイズに基づいて、前記表示サイズ設定手段によって設定された前記サムネイル画像の表示サイズで前記表示装置に表示される前記サムネイル画像の画像サイズを算出する画像サイズ算出手段と、該画像サイズ算出手段によって算出された前記サムネイル画像の画像サイズに基づいて、前記撮像画像を縮小した前記サムネイル画像を生成して前記表示装置に出力する画像生成出力手段とを具備することを特徴とする。
【０００７】
さらに、本発明の画像表示装置は、前記画面サイズ取得手段は、前記表示装置から画面サイズを取得し、前記画像サイズ算出手段は、画面サイズ取得手段によって取得された前記表示装置の画面サイズおよび前記表示サイズ設定手段によって設定された前記サムネイル画像の表示サイズに基づいて、サムネイル画像の配列パターンを算出し、画像生成出力手段は、前記画像サイズ算出手段によって算出された配列パターンに基づいて、生成した前記サムネイル画像を配列した一覧画面を生成して前記表示装置に出力することを特徴とする。
【０００８】
また、本発明の画像表示方法は、記憶している撮像画像に対応するサムネイル画像を複数配列した一覧画面を生成し、接続された表示装置に生成した前記一覧画面を表示させる画像表示装置における画像表示方法であって、前記表示装置に前記サムネイル画像を表示した際の実サイズを前記サムネイル画像の表示サイズとして設定しておき、前記表示装置から解像度を取得し、該取得した前記解像度、前記撮像画像のピクセル数および設定された前記サムネイル画像の表示サイズに基づいて、設定された前記サムネイル画像の表示サイズで前記表示装置に表示される前記サムネイル画像の画像サイズを算出し、該算出した前記サムネイル画像の画像サイズに基づいて、前記撮像画像を縮小した前記サムネイル画像を生成して前記表示装置に出力することを特徴とする。
【発明の効果】
【０００９】
本発明の画像表示装置および画像表示方法は、表示装置にサムネイル画像を表示した際の実サイズをサムネイル画像の表示サイズとして設定しておき、表示装置から解像度を取得し、取得した解像度、撮像画像のピクセル数および設定されたサムネイル画像の表示サイズに基づいて、設定されたサムネイル画像の表示サイズで表示装置に表示されるサムネイル画像の画像サイズを算出し、算出したサムネイル画像の画像サイズに基づいて、撮像画像を縮小したサムネイル画像を生成して表示装置に出力するように構成することにより、接続された表示装置の画面サイズに拘わらず、常に設定された表示サイズの高品位なサムネイル画像を表示装置に表示させることができ、サムネイル画像が小さく表示されすぎて見づらくなることや、サムネイル画像が大きく表示されすぎて表示が荒くなってしまうことを防止することができるという効果を奏する。
【００１０】
さらに、本発明の画像表示装置および画像表示方法は、表示装置から画面サイズを取得し、取得した表示装置の画面サイズおよび設定されたサムネイル画像の表示サイズに基づいて、サムネイル画像の配列パターンを算出し、算出した配列パターンに基づいて、生成したサムネイル画像を配列した一覧画面を生成して表示装置に出力するように構成することにより、接続された表示装置の画面サイズに拘わらず、常に設定された表示サイズの高品位なサムネイル画像が適切に配列された一覧画面を表示装置に表示させることができるという効果を奏する。
【発明を実施するための最良の形態】
【００１１】
以下、本発明の実施の形態を図面に基づいて詳細に説明する。
【００１２】
図１は、本発明に係る画像表示装置の実施の形態の構成を示すブロック図である。
【００１３】
本実施の形態の画像表示装置１は、記憶している画像をテレビ受像機等の表示装置２に表示させることができるデジタルカメラやＨＤＤレコーダであり、図１を参照すると、画像表示装置１と、表示装置２とをＨＤＭＩ（High-Definition Multimedia Interface）ケーブル３で接続することにより、表示装置２の画面サイズに応じて、画像表示装置１に記憶されている撮像画像を撮像時と同じ視野で表示装置２に表示できるように構成されている。
【００１４】
画像表示装置１は、被写体を撮像する撮像手段等の撮像画像を取り込む画像取り込み部１１と、画像取り込み部１１によって取り込まれた撮像画像を記憶する記憶手段である記憶部１２と、画像取り込み部１１によって取り込まれた撮像画像を記憶部１２にＥｘｉｆ形式の画像ファイルとして記憶させる画像保存装置１３と、ＨＤＭＩケーブル３を介して表示装置２の画面サイズおよび解像度を所得する画面情報取得部１４と、記憶部１２に記憶された撮像画像のExifタグから撮像画像のピクセル数を取得する画像情報取得部１５と、
サムネイル画像の表示サイズを設定する表示サイズ設定入力および撮像画像の一覧表示を指示する一覧表示指示入力を受け付ける入力部１６と、画面情報取得部１４によって取得された表示装置２の画面サイズおよび解像度と画像情報取得部１５によって取得された撮像画像のピクセル数と入力部１６から入力されたサムネイル画像の表示サイズとに基づいて、サムネイル画像の画像サイズおよび配列パターンを算出する画像サイズ算出部１７と、画像サイズ算出部１７によって算出されたサムネイル画像の画像サイズに基づいて、原画像を縮小したサムネイル画像を生成すると共に、画像サイズ算出部１７によって算出された配列パターンに基づいて、生成したサムネイル画像を配列した一覧画面を生成してＨＤＭＩケーブル３を介して表示装置２に出力する画像生成出力部１８とを備えている。
【００１５】
次に、本実施の形態の動作について図２および図３を参照して詳細に説明する。
図２は、本発明に係る画像表示装置の実施の形態におけるサムネイル画像生成動作を説明するためのフローチャートであり、図３は、本発明に係る画像表示装置の実施の形態におけるサムネイル画像生成動作によって生成された一覧画面例を示す図である。
【００１６】
まず、入力部１６から一覧表示指示入力を予め受け付け、画像サイズ算出部１７にサムネイル画像の表示サイズを設定しておく（ステップＡ１）。なお、サムネイル画像の表示サイズは、表示装置２にサムネイル画像を表示した際の実サイズであり、ユーザが任意に設定できるようにしても良く、また、予め複数の候補を設定しておき、複数の候補の中からユーザが選択するようにしても良く、予め設定されている画像サイズを用いるようにしても良い。
【００１７】
次に、一覧表示指示入力が入力部１６から行われると、画面情報取得部１４は、ＨＤＭＩのＥＤＩＤを用い、表示装置２から画面サイズおよび解像度を取得する（ステップＡ２）。なお、画面サイズおよび解像度は、ＨＤＭＩケーブル３によって画像表示装置１と表示装置２とが接続され、画像表示装置１および表示装置２の電源が投入された際に、事前に取得するようにしても良い。
【００１８】
次に、画像情報取得部１５は、記憶部１２に記憶された撮像画像のExifタグから、撮像画像のピクセル数、すなわち横方向画素数と、縦方向画素数とを取得する（ステップＡ３）。
【００１９】
次に、画像サイズ算出部１７は、画面情報取得部１４によって取得された表示装置２の解像度と、画像情報取得部１５によって取得された撮像画像のピクセル数と、入力部１６から入力されたサムネイル画像の表示サイズとに基づいて、入力部１６から入力されたサムネイル画像の表示サイズで表示装置２に表示されるサムネイル画像の画像サイズを算出する（ステップＡ４）。
【００２０】
また、画像サイズ算出部１７は、画面情報取得部１４によって取得された表示装置２の画面サイズと、入力部１６から入力されたサムネイル画像の表示サイズとに基づいて、サムネイル画像の配列パターンを算出する（ステップＡ５）。例えば、サムネイル画像の表示サイズが横２２．７ｃｍ、縦１２．８ｃｍに設定されている場合には、表示装置２の画面サイズが４５Ｖ型で横９８．６ｃｍ、縦５５．５ｃｍであると、図３（ａ）に示すように、横４個＊縦３個＝１２個のサムネイル画像が配列された配列パターンが算出され、表示装置２の画面サイズが３７Ｖ型で横８１．９ｃｍ、縦４６．１ｃｍである場合には、図３（ｂ）に示すように、横３個＊縦３個＝９個のサムネイル画像が配列された配列パターンが算出され、表示装置２の画面サイズが３７Ｖ型で横５７．６ｃｍ、縦３２．４ｃｍである場合には、図３（ｃ）に示すように、横２個＊縦２個＝４個のサムネイル画像が配列された配列パターンが算出されることになる。
【００２１】
次に、画像生成出力部１８は、記憶部１２に記憶されている撮像画像を順次読み出し、画像サイズ算出部１７によって算出されたサムネイル画像の画像サイズに基づいて、原画像を縮小したサムネイル画像を生成すると共に（ステップＡ６）、画像サイズ算出部１７によって算出された配列パターンに基づいて、生成したサムネイル画像を配列した一覧画面を生成してＨＤＭＩケーブル３を介して表示装置２に出力する（ステップＡ７）。なお、生成したサムネイル画像の配列順は、ユーザが指定したファイル名や日付等によって決定され、ユーザが配列順を選択することができるようになっている。
【００２２】
なお、本実施の形態では、サムネイル画像の最適な画像サイズと配列パターンとを画像サイズ算出部１７で算出するように構成したが、表示装置２の画面サイズ毎に、サムネイル画像の最適な画像サイズと配列パターンとを予めそれぞれ設定しておき、ステップＡ２で取得した表示装置２の画面サイズに応じて、予め設定されているサムネイル画像の最適な画像サイズと配列パターンとて一覧表示を行うように構成することもできる。
【００２３】
また、本実施の形態では、表示装置２の画面サイズを取得して、サムネイル画像の配列パターンを算出するように構成したが、表示装置２が画面分割機能を有し、分割された表示領域に一覧画面を表示させる場合には、一覧画面が表示される分割画面の画面サイズを、ＨＤＭＩのＥＤＩＤを用いて表示装置２から取得し、取得した画面サイズに基づいてサムネイル画像の配列パターンを算出するように構成しても良い。
【００２４】
以上説明したように、本実施の形態によれば、入力部１６からの入力によって表示装置２にサムネイル画像を表示した際の実サイズをサムネイル画像の表示サイズとして設定しておき、画面情報取得部１４は、ＨＤＭＩのＥＤＩＤを用いて表示装置２から解像度を取得し、画像サイズ算出部１７は、取得した解像度、撮像画像のピクセル数および設定されたサムネイル画像の表示サイズに基づいて、設定されたサムネイル画像の表示サイズで表示装置２に表示されるサムネイル画像の画像サイズを算出し、画像生成出力部１８は、算出したサムネイル画像の画像サイズに基づいて、撮像画像を縮小したサムネイル画像を生成して表示装置２に出力するように構成することにより、接続された表示装置２の画面サイズに拘わらず、常に設定された表示サイズの高品位なサムネイル画像を表示装置２に表示させることができ、サムネイル画像が小さく表示されすぎて見づらくなることや、サムネイル画像が大きく表示されすぎて表示が荒くなってしまうことを防止することができるという効果を奏する。
【００２５】
さらに、本実施の形態によれば、画面情報取得部１４は、ＨＤＭＩのＥＤＩＤを用いて表示装置２から画面サイズを取得し、画像サイズ算出部１７は、取得した表示装置の画面サイズおよび設定されたサムネイル画像の表示サイズに基づいて、サムネイル画像の配列パターンを算出し、画像生成出力部１８は、算出した配列パターンに基づいて、生成したサムネイル画像を配列した一覧画面を生成して表示装置２に出力するように構成することにより、接続された表示装置２の画面サイズに拘わらず、常に設定された表示サイズの高品位なサムネイル画像が適切に配列された一覧画面を表示装置２に表示させることができるという効果を奏する。
【００２６】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２７】
【図１】本発明に係る画像表示装置の実施の形態の構成を示すブロック図である。
【図２】本発明に係る画像表示装置の実施の形態におけるサムネイル画像生成動作を説明するためのフローチャートである。
【図３】本発明に係る画像表示装置の実施の形態におけるサムネイル画像生成動作によって生成された一覧画面例を示す図である。
【図４】従来の画像表示装置によって生成された一覧画面例を示す図である。
【符号の説明】
【００２８】
１  画像表示装置
２  表示装置
３  ＨＤＭＩケーブル
１１  画像取り込み部
１２  記憶部
１３  画像保存装置
１４  画面情報取得部
１５  画像情報取得部
１６  入力部
１７  画像サイズ算出部
１８  画像生成出力部
【図１】
2009105645.tif 000003
【図２】
2009105645.tif 000004
【図３】
2009105645.tif 000005
【図４】
2009105645.tif 000006